(57)【要約】      （修正有）【課題】厚手の記録媒体上にも、サテライトによる画像の汚れを発生させること無く印刷することができる、インクジェット印刷システムを提供する。【解決手段】ヘッドホルダ２１２が、上方の空間と下方の空間とを区画するものであるとともに、ヘッドホルダへのプラテンの投影範囲において、前記上方の空間と前記下方の空間との間を通気可能にする複数の通気孔２１６を備え、インクが非水系インク組成物であり、顔料、顔料に対する固形分での質量比０．２〜２．０の顔料分散剤及び有機溶剤を含み、顔料分散剤が、（Ａ）ポリエステル側鎖を有するポリアミド及び／又はビニルピロリドンと炭素数１０〜４０のアルケンとの共重合体と、該非水系インク組成物中に分散して存在する、（Ｂ）アルキル（メタ）アクリレート共重合体とを含む。【選択図】図５
2012106347.tif 000002
【特許請求の範囲】
【請求項１】
非水系インク組成物を用いるインクジェット印刷システムであって、
インクジェット印刷装置が、
該非水系インク組成物を保持するインクジェットヘッドと、
該インクジェットヘッドを保持するヘッドホルダと、
該ヘッドホルダの下方で該ヘッドホルダと対向して位置する、複数の貫通孔が開口するプラテンと、
該複数の貫通孔に吸引力を発生させる吸引手段と、
該プラテン上を移動して用紙を吸着搬送する多孔性のプラテンベルトとを備え、
該ヘッドホルダは、該ヘッドホルダより上方の空間と下方の空間とを区画するものであるとともに、前記ヘッドホルダへの前記プラテンの投影範囲において、前記上方の空間と前記下方の空間との間を通気可能にする複数の通気孔を備え、
該非水系インク組成物が、顔料、該顔料に対する固形分での質量比０．２〜２．０の顔料分散剤及び有機溶剤を含み、該顔料分散剤が、
（Ａ）ポリエステル側鎖を有するポリアミド及び／又はビニルピロリドンと炭素数１０〜４０のアルケンとの共重合体と、
該非水系インク組成物中に分散して存在する、（Ｂ）アルキル（メタ）アクリレート共重合体とを含む、
ことを特徴とする、インクジェット印刷システム。
【請求項２】
前記通気孔の総開口面積が、前記ヘッドホルダへの前記インクジェットヘッドの総平面投影面積の１０パーセント以上であることを特徴とする、請求項１に記載のインクジェット印刷システム。
【請求項３】
前記インクジェットヘッドが複数備えられ、該ヘッドホルダに形成された複数の取付孔に挿入された状態で該インクジェットホルダに保持され、
前記通気孔が、前記取付孔の各々の近傍に備えられることを特徴とする、請求項１又は２に記載のインクジェット印刷システム。
【請求項４】
前記非水系インク組成物における（Ｂ）成分の固形分の、（Ａ）成分と（Ｂ）成分の固形分の合計に対する質量比、（Ｂ）／［（Ａ）＋（Ｂ）］が、０．８〜０．９９である、ことを特徴とする請求項１〜３のいずれか１項に記載のインクジェット印刷システム。
【請求項５】
前記非水系インク組成物における（Ａ）ポリエステル側鎖を有するポリアミドが、ポリエチレンイミンからなる主鎖に、３〜８０個の、該主鎖の窒素原子を含むアミド結合を介して結合された、下記式（１）で表される繰り返し単位
【化１】
2012106347.tif 000007
（ここで、Ｒ１はＣ３〜Ｃ６アルキレン基である）
を含有する側鎖を備えることを特徴とする請求項１〜４のいずれか１項に記載のインクジェット印刷システム。
【請求項６】
前記非水系インク組成物における（Ａ）ビニルピロリドンと炭素数１０〜４０のアルケンとの共重合体が、重量平均分子量３０００〜５０，０００の、ビニルピロリドン−ヘキサデセン共重合体であることを特徴とする請求項１〜５のいずれか１項に記載のインクジェット印刷システム。
【請求項７】
前記（Ｂ）アルキル（メタ）アクリレート共重合体が、下記式（２）で表される繰り返し単位を含む主鎖と、下記式（３）で表される繰り返し単位を含む、側鎖又は架橋部を有することを特徴とする請求項１〜６のいずれか１項に記載のインクジェット印刷システム。
【化２】
2012106347.tif 000008
【化３】
2012106347.tif 000009
（ここで、Ｒ２は水素もしくは炭素数１〜３のアルキル基、Ｒ３は炭素数１２〜２５のアルキル基、Ｒ４は炭素数６〜１６の２価の炭化水素基、Ｒ５は炭素数２〜２０のアルキレン基もしくはオキシアルキレン基である。）
【発明の詳細な説明】
【技術分野】
【０００１】
本発明は、インクジェット印刷システムに関し、詳細には、インクジェット印刷装置のヘッドホルダに通気孔を備え、非水系インク組成物に所定の分散剤の組み合わせを含むことで、サテライトによる画像の汚れが顕著に低減された、インクジェット印刷システムに関する。
【背景技術】
【０００２】
インクジェット印刷装置では、インクを吐出するインクジェットヘッドと対向した位置に印刷台（以下、プラテンという）を設け、このプラテンの表面に、カールや、コックリングといった用紙の変形を矯正するために、吸引力を発生する多数の貫通孔を形成し、プラテン上に多孔性のプラテンベルトを摺動させて用紙を吸着搬送する。
【０００３】
プラテンベルトのベルト孔のうち、用紙で完全に閉塞されていないベルト孔がプラテンの貫通孔の上を通過する際、インクジェットヘッドの周囲から該貫通孔へと流れ込む乱流が発生し、インクジェットヘッドから吐出される微小なインク滴（以下、インクミストという）を飛散させて用紙に汚れ（サテライトによる汚れ）を発生させるという問題がある。
【０００４】
このようなサテライトによる汚れをなくすために、装置の側から、又、インク組成物の側からの改良が提案されている。例えば、プラテンベルト孔に拡張部を形成すること（特許文献１）、非水系インクジェットインクに、スルホン酸基、又は硫酸基等の基を有する塩化ビニル樹脂を配合すること（特許文献２）が提案されている。
【先行技術文献】
【特許文献】
【０００５】
【特許文献１】特開２０１０−８９２８９号公報
【特許文献２】特開２００７−３２６９３０号公報
【発明の概要】
【発明が解決しようとする課題】
【０００６】
しかし、装置もしくはインク組成物、夫々を改良しても、サテライトの発生を十分に抑制することは難しく、特に封筒等の厚手の記録媒体への印刷ではヘッドノズルと記録媒体との距離が開いているため、サテライトによる汚れが発生し易い。そこで、本発明は、厚手の記録媒体上にも、サテライトによる汚れを発生すること無く印刷することができる、インクジェット印刷システムを提供することを目的とする。
【課題を解決するための手段】
【０００７】
即ち、本発明は、非水系インク組成物を用いるインクジェット印刷システムであって、
インクジェット印刷装置が、
該非水系インク組成物を保持するインクジェットヘッドと、
該インクジェットヘッドを保持するヘッドホルダと、
該ヘッドホルダの下方で該ヘッドホルダと対向して位置する、複数の貫通孔が開口するプラテンと、
該複数の貫通孔に吸引力を発生させる吸引手段と、
該プラテン上を移動して用紙を吸着搬送する多孔性のプラテンベルトとを備え、
該ヘッドホルダは、該ヘッドホルダより上方の空間と下方の空間とを区画するものであるとともに、前記ヘッドホルダへの前記プラテンの投影範囲において、前記上方の空間と前記下方の空間との間を通気可能にする複数の通気孔を備え、
該非水系インク組成物が、顔料、該顔料に対する固形分での質量比０．２〜２．０の顔料分散剤及び有機溶剤を含み、該顔料分散剤が、
（Ａ）ポリエステル側鎖を有するポリアミド及び／又はビニルピロリドンと炭素数１０〜４０のアルケンとの共重合体と、
該非水系インク組成物中に分散して存在する、（Ｂ）アルキル（メタ）アクリレート共重合体とを含む、
ことを特徴とする、インクジェット印刷システムである。
【発明の効果】
【０００８】
上記本発明における装置は、ヘッドホルダが通気孔を有するので、該通気孔を通る空気の流れが形成されることにより、インクジェットヘッド周囲の空気が乱され難くなる為、インクミストの発生が防止されて、サテライトによる汚れが低減される。また、発明における非水系インク組成物（以下、単に「インク組成物」という場合がある）は、組成物中に分散して存在する（Ｂ）成分と、有機溶剤に溶解する（Ａ）成分を組合わせて含むので、温度に因るインクの粘度の変化が抑制されると共に、顔料の分散安定性が高く、サテライトの発生が抑制され、サテライトによる汚れの低減が達成される。
【図面の簡単な説明】
【０００９】
【図１】本発明におけるインクジェット印刷装置の概略構成図である。
【図２】ヘッドホルダの平面図および斜視図である。
【図３】プラテンの平面図である。
【図４】印刷部の部分拡大断面図である。
【図５】通気孔の第１の実施形態を示す図である。
【図６】通気孔の第２の実施形態を示す図（その１）である。
【図７】通気孔の第２の実施形態を示す図（その２）である。
【図８】通気孔の第３の実施形態を示す図である。
【図９】通気孔の第４の実施形態を示す図である。
【発明を実施するための形態】
【００１０】
本発明における装置の実施形態について図面を参照して説明する。図１は、本発明におけるインクジェット印刷装置１の、一実施形態の概略構成図である。インクジェット印刷装置１は、給紙部１０、印刷部２０、排紙部３０、反転部４０および制御部５０から構成されている。
【００１１】
給紙部１０は印刷部２０に用紙Ｐを供給するものであり、インクジェット印刷装置１の下方側面に設けられた未印刷の用紙Ｐを積載する給紙台１１、用紙Ｐを給紙台１１から印刷部２０へ導く給紙経路１２、給紙台１１から用紙Ｐを一枚ずつ取り出す給紙ローラ対１３、用紙Ｐを印刷部２０に所定のタイミングで送り込むタイミングローラ対１４から構成されている。
【００１２】
印刷部２０は給紙部１０から用紙Ｐを搬入し、用紙Ｐにインクを吐出して印刷し、用紙Ｐを排紙部３０へ搬出するものであり、インクを吐出するヘッドユニット２１、ヘッドユニット２１の下方で用紙Ｐを搬送するプラテンユニット２２から構成されている。なお、ヘッドユニット２１およびプラテンユニット２２に関する詳細は後述する。
【００１３】
排紙部３０は印刷された用紙Ｐを搬送して排紙するものであり、インクジェット印刷装置１の上方側面に設けられた印刷済みの用紙Ｐを積載する排紙台３１、印刷済みの用紙Ｐを印刷面が下方を向いた状態で印刷部２０から排紙台３１に導く排紙経路３２、排紙経路３２上の用紙Ｐを一枚ずつ送り出す複数の排紙ローラ対３３から構成されている。
【００１４】
反転部４０は片面印刷済みの用紙Ｐの搬送方向を反転させ、未印刷面が上方を向いた状態で用紙Ｐを再び印刷部２０に送りだすものであり、排紙台３１の裏側に設けられたバッファ空間４１、排紙経路３２の途中から分岐して用紙Ｐをバッファ空間４１へ導く分岐経路４２、バッファ空間４１から用紙Ｐをタイミングローラ対１４へ導く再給紙経路４３、分岐経路４２，再給紙経路４３上の用紙Ｐを一枚ずつ送り出す複数の反転ローラ対４４を備えている。
【００１５】
制御部５０は各部の動作制御や、不図示の操作パネルを通じてのユーザーからの指示を処理するものである。
【００１６】
次に、インクジェット印刷装置１の全体動作について説明する。未印刷の用紙Ｐが給紙台１１から給紙ローラ対１３によって給紙経路１２上に取り出される。給紙経路１２上の用紙Ｐはタイミングローラ対１４によって所定のタイミングで印刷部２０に送り出される。
【００１７】
印刷部２０では、プラテンユニット２２が所定速度で用紙Ｐを搬送し、ヘッドユニット２１が用紙Ｐにインクを吐出して印刷を行う。印刷済みの用紙は、排紙ローラ対３３によって一枚ずつ排紙経路３２上に送りだされ、印刷面が下方を向く状態で排紙台３１へ導かれて排紙される。
【００１８】
また、両面印刷を行う場合は、排紙経路３２上の途中に設けられた不図示の経路切換機構によって排紙経路３２上の用紙Ｐを分岐経路４２に送り出し、バッファ空間４１に導く。バッファ空間４１から再給紙経路４３に用紙Ｐを送り出し、再びタイミングローラ対１４に導き、印刷部２０へ再給紙を行う。なお、以下の説明においては、用紙Ｐの搬送方向と直交する方向を主走査方向、用紙Ｐの搬送方向を副走査方向として説明する。
【００１９】
印刷部２０のヘッドユニット２１について説明する。ヘッドユニット２１は、用紙Ｐに向けてインクを吐出する複数のインクジェットヘッド２１１およびインクジェットヘッド２１１を保持するヘッドホルダ２１２とから構成されている。
【００２０】
ヘッドホルダ２１２は、後述するプラテン２２１の上方でプラテン２２１と対向して位置する。また、ヘッドホルダ２１２は、ヘッドホルダ２１２の上方の空間ＵＳと下方の空間ＬＳを区画するものであり、プラテン２２１の投影範囲ＰＲに上方の空間ＵＳと下方の空間ＬＳを通気可能とする通気孔２１６が形成されている。
【００２１】
図２はヘッドホルダ２１２を示す図であり、上図はヘッドホルダ２１２の平面図、下図はヘッドホルダ２１２の斜視図である。ヘッドホルダ２１２には、上図に示すように、主走査方向および副走査方向に所定の間隔で千鳥状に複数の取付孔２１３が形成されている。本実施形態では、ヘッドホルダ２１２には合計２４個の取付孔２１３が形成されている。前述の通気孔２１６に関する詳細は後述する。なお、取付孔２１３の数や、配置は特に限定されるものではない。
【００２２】
ヘッドホルダ２１２は、各取付孔２１３に各インクジェットヘッド２１１を挿入し、不図示のフランジ等で各インクジェットヘッド２１１を挿入した状態で保持するものである。再び図１を参照して説明する。インクジェットヘッド２１１は、インクを用紙Ｐに向けて吐出するインクジェットノズル２１４を下面に備えている。インクジェットノズル２１４は、インクジェットヘッド２１１の下面で副走査方向に配列されて、直線状のラインノズル２１５を形成している。すなわち各インクジェットヘッド２１１はライン単位でインクを用紙Ｐに向けて吐出する。
【００２３】
本実施形態では、同一色のインクを吐出するインクジェットヘッド２１１が６個単位で分類され、黒色Ｋ、マゼンタ色Ｍ、シアン色Ｃおよびイエロー色Ｙのいずれか一色を吐出する。
【００２４】
次に、再び図１を参照してプラテンユニット２２について説明する。プラテンユニット２２は、ヘッドユニット２１の下方でヘッドホルダ２１２と対向して位置するプラテン２２１、プラテン２２１上を摺動するように掛け渡された無端のプラテンベルト２２２、プラテンベルト２２２を駆動する駆動ローラ２２３、従動ローラ２２４およびプラテン２２１の下方の空間を負圧にするファン２２５から構成されている。
【００２５】
図３はプラテン２２１の平面図である。なお、図３においては、各インクジェットヘッド２１１の投影位置を破線で示している。プラテン２２１はプレート部材であり、プラテンベルト２２２が通過する範囲に複数の長孔の貫通孔２２１ａが千鳥状に形成されている。また、プラテン２２１の表面には、貫通孔２２１ａと連通する凹部２２１ｂが形成されている。
【００２６】
プラテンベルト２２２には、千鳥状に複数のベルト孔２２２ａが形成されている。ファン２２５がプラテン２２１の下方の空間を負圧にすることにより、各貫通孔２２１ａに吸引力を発生させる。なお、プラテン２２１の下方の空間は不図示のフレームにより密閉されている。
【００２７】
プラテンベルト２２２が、プラテン２２１上を摺動することにより、凹部２２１ｂ上を通過したベルト孔２２２ａにも吸引力が発生する。ベルト孔２２２ａに発生する吸引力は貫通孔２２１ａの上を通過する際に最大となる。また、プラテンベルト２２２の表面と各インクジェットノズル２１４との間の距離は、用紙Ｐの厚みによって調整されるが、約１〜３ｍｍ程度の範囲である。
【００２８】
タイミングローラ対１４で送り出された用紙Ｐは、不図示のセンサにより副走査方向上流の先端が検出され、各ベルト孔２２２ａによってプラテンベルト２２２上に吸着保持されて搬入される。用紙Ｐがインクジェットノズル２１４の真下位置ＵＰを所定の速度で通過することにより、各インクジェットヘッド２１１よりライン単位でインクが吐出され、用紙Ｐに画像が形成される。なお、ヘッドユニット２１によるインクの吐出とプラテンユニット２２による用紙Ｐの搬送のタイミングは制御部５０によって制御されている。
【００２９】
図４は印刷部２０の部分拡大断面図である。図４は印刷を開始する状態を示すものである。前述の通り、ベルト孔２２２ａが凹部２２１ｂの上を通過すると、ベルト孔２２２ａには吸引力が発生し、ベルト孔２２２ａが貫通孔２２１ａの上を通過する際に吸引力は最大になる。各ベルト孔２２２ａのうち、用紙Ｐによって孔が完全に閉塞されていないベルト孔２２２ａが凹部２２１ｂの上を通過すると、プラテンベルト２２２上の空気が、ベルト孔２２２ａ、凹部２２１ｂおよび貫通孔２２１ａを介してプラテンベルト２２２の下に流れ込み、プラテンベルト２２２上に図中矢印で示す気流が発生する。この気流はベルト孔２２２ａが貫通孔２２１ａの上を通過する時に最も強くなる。
【００３０】
また、この気流のうち、用紙Ｐとインクジェットヘッド２１１の間を流れる気流が増加すると、インクジェットノズル２１４からのインクミストが飛散して印刷画像に汚れが発生する可能性が高くなる。
【００３１】
本発明におけるインクジェット印刷装置は、そのヘッドホルダ２１２に通気孔２１６を備えることを特徴とする。該通気孔は、図５に示すような、プラテン２２１の投影範囲ＰＲでヘッドホルダ２１２より上方の空間ＵＳと下方の空間ＬＳとを通気可能にし、これによって、サテライトを低減することができる。プラテン２２１の投影範囲とは、装置を真上から見た際に、ヘッドホルダとプラテン２２１とが重なる領域である。図５の実施態様では、複数の通気孔２１６が複数のインクジェットヘッド２１１の間に設けられている。
【００３２】
通気孔２１６は、プラテン２２１の投影範囲ＰＲであれば、特にヘッドホルダ２１２上での位置、形状及びその大きさが限定されるものではない。好ましくは、複数の通気孔２１６が、複数のインクジェットヘッド２１１各々の近傍に開口されており、その総開口面積が、インクジェットヘッド２１１のヘッドホルダ２１２への総投影面積の１０パーセント以上、望ましくは２０パーセント以上、より望ましくは５０パーセント以上であってヘッドホルダ２１２の強度を考慮して９０パーセント以下となるように、ヘッドホルダ２１２に通気孔２１６を形成する。
【００３３】
これにより、用紙Ｐによって孔が完全に閉塞されていない各ベルト孔２２２ａには、用紙Ｐとインクジェットヘッド２１１の間の空気よりも、用紙Ｐによって孔が完全に閉塞されていない各ベルト孔２２２ａ上の間の空気が流れ込み易くなるため、用紙Ｐとインクジェットヘッド２１１の間を流れる気流が少なくなり、インクミストによる汚れが低減される。
【００３４】
通気孔２１６の第２の実施形態では、通気孔２１６は各インクジェットヘッド２１１の両側近傍に形成される。図６は、通気孔２１６の第２の実施形態を示す図である。図６に示す態様において、通気孔２１６は長方形であり、該長方形の長辺が、長方形のインクジェットヘッド２１１の両側の長辺近傍に沿って延びる。インクジェットヘッド２１１の近傍とは、インクジェットヘッド２１１側の縁が、インクジェットヘッド２１１から１５ｍｍまでの領域、望ましくは１０ｍｍまでの領域、より望ましくは５ｍｍまでの領域にあることを意味する。
【００３５】
第２の実施形態では、インクジェットヘッド２１１の両側近傍でインクジェットヘッド２１１に沿って延びて開口する通気孔２１６の総面積が、インクジェットヘッド２１１の投影総面積の１０パーセント以上、望ましくは２０パーセント以上、より望ましくは５０パーセント以上であってヘッドホルダ２１２の強度を考慮して９０パーセント以下とすることが望ましい。
【００３６】
図６には、１つのインクジェットヘッド２１１に対し、長方形の通気孔２１６を１つのインクジェットヘッド２１１の両側近傍に各１個形成することにより、１つのインクジェットヘッド２１１における通気孔２１６の投影面積比を２７パーセント程度にしたものを例示する。
【００３７】
図７は第２の実施形態の変形例である。図６では、通気孔２１６は、インクジェットヘッド２１１の両側で開口する長方形として説明しているが、孔の形状は特に限定されるものではなく、正方形、長方形、楕円形、真円、三角形であってもよい。特に、三角形の場合は底辺がインクジェットヘッド２１１側となるように配置することが望ましい。図７においては、各通気孔２１６の形状を貫通孔２２１ａと同じ形状の長孔にしている。
【００３８】
また、通気孔２１６は、図６に示すような、インクジェットヘッド２１１の各側１個ずつの孔に限定されるものではなく、各側２個以上の孔で形成されてもよい。図７においては、通気孔２１６をインクジェットヘッド２１１の各側４個ずつ形成している。
【００３９】
また、インクジェットヘッド２１１の両側とは、図６に示すような、インクジェットヘッド２１１の副走査方向両側に限定されるものではなく、主走査方向両側、主走査方向および副走査方向両側であってもよい。すなわち通気孔２１６は千鳥状に配置されたインクジェットヘッド２１１間に形成が可能である。
【００４０】
また、各通気孔２１６の大きさについても、通気孔２１６の総面積が、インクジェットヘッド２１１の投影総面積の１０パーセント以上となる限り、特に限定されるものではない。したがって、図７において、通気孔２１６は貫通孔２２１ａよりも小さいものであってもよい。
【００４１】
このように、インクジェットヘッド２１１の両側近傍に通気孔２１６を設けることにより、用紙Ｐによって孔が完全に閉塞されていない各ベルト孔２２２ａ上の空間のうち、インクジェットヘッド２１１の近傍の空気が、インクジェットヘッド２１１に沿って流れ易くなるため、用紙Ｐとインクジェットヘッド２１１の間を流れる気流が少なくなり、インクミストによる汚れが低減される。
【００４２】
次に、通気孔２１６の第３の実施形態について説明する。第３の実施形態は取付孔２１３を通気孔２１６とするものである。図８は通気孔２１６の第３の実施形態を示す図である。第３の実施形態では、取付孔２１３の周囲に、取付孔２１３の外側にオフセットした形状の通気孔２１６を形成する。
【００４３】
第３の実施形態では、取付孔２１３とインクジェットヘッド２１１との間の隙間の総面積が、インクジェットヘッド２１１の投影総面積の１０パーセント以上、望ましくは２０パーセント以上、より望ましくは５０以上であってヘッドホルダ２１２の強度を考慮して９０パーセント以下となるように、ヘッドホルダ２１２に通気孔２１６を形成する。
【００４４】
図８には、第１実施形態と同じ投影面積のインクジェットヘッド２１１に対し、取付孔２１３の周囲に、取付孔２１３の外側にオフセットした形状の通気孔２１６を形成することにより、１つのインクジェットヘッド２１１における通気孔２１６の投影面積比を３２パーセント程度にしたものを例示する。
【００４５】
このように、取付孔２１３を利用することにより、用紙Ｐによって孔が完全に閉塞されていない各ベルト孔２２２ａ上の空間のうち、インクジェットヘッド２１１により近い空気が、インクジェットヘッド２１１に沿って流れ易くなるため、用紙Ｐとインクジェットヘッド２１１の間を流れる気流が少なくなり、インクミストによる汚れが低減される。
【００４６】
また、通気孔２１６は、貫通孔２２１ａの投影部分の少なくとも一部を含むように形成するものである。図９は通気孔２１６の第４の実施形態を示す図である。第４の実施形態は、第２の実施形態について適用したものであるが、第１および３の実施形態においても起用が可能である。
【００４７】
前述の通り、プラテンベルト２２２上の気流は完全に閉塞されていないベルト孔２２２ａが貫通孔２２１ａの上を通過する時に最も強くなる。したがって、図９に示すように、通気孔２１６が、図中破線で示す貫通孔２２１ａの投影部分の少なくとも一部を含むように形成することにより、用紙Ｐによって孔が完全に閉塞されていない各ベルト孔２２２ａ上の空間のうち、閉塞されていない各ベルト孔２２２ａの真上の空気が流れ込み易くなるため、用紙Ｐとインクジェットヘッド２１１の間を流れる気流が少なくなり、インクミストによる汚れが低減される。
【００４８】
また、第１〜第４の実施形態において、ヘッドホルダ２１２の上方の空間ＵＳを不図示のフレーム等で密閉し、図１に示すような、上方の空間ＵＳ内に気圧調整手段２１８を設けることで上方の空間ＵＳ内の気圧を大気圧よりも高くすることにより、用紙Ｐとインクジェットヘッド２１１の間の空気よりも、用紙Ｐによって孔が完全に閉塞されていない各ベルト孔２２２ａとヘッドホルダ２１２との間の空気をより流れ込み易くすることが可能である。なお、第１〜第４の実施形態はそれぞれ組み合わせて適用することも可能である。
【００４９】
次に、上記印刷装置において使用するインク組成物に関して説明する。該インク組成物は、顔料、該顔料に対する固形分での質量比０．２〜２．０の顔料分散剤及び有機溶剤を含み、該顔料分散剤は、有機溶剤に溶解する（Ａ）成分と、該インク組成物中に分散して存在する（Ｂ）成分を含有する。以下、各成分に関して説明する。
＜（Ａ）ポリエステル側鎖を有するポリアミド及び／又はビニルピロリドンと炭素数１０〜１４のアルケンとの共重合体＞
ポリエステル側鎖を有するポリアミドは、例えばポリエチレンイミンのような窒素原子を含有する主鎖を備え、かつ、該窒素原子を含むアミド結合により主鎖と結合したポリエステル構造を含む側鎖を複数備える分散剤である。例えば、特開平５−１７７１２３号公報（米国特許第4,645,611号明細書）に開示されている、ポリエチレンイミンなどのポリアルキレンイミンからなる主鎖に、３〜８０個の、該主鎖の窒素原子に結合された下記式（１）
【化１】
2012106347.tif 000003
（ここで、Ｒ１はＣ３〜Ｃ６アルキレン基である）
で表される繰り返し単位を含有する側鎖を備える、櫛形分散剤が挙げられる。かかる構造のポリアミド系分散剤は、日本ルーブリゾール社製ソルスパース１１２００、ソルスパース２８０００（何れも商品名）などの市販品として入手可能である。
【００５０】
ビニルピロリドン（ＶＰ）と炭素数１０〜４０のアルケンとの共重合体（以下、これを「アルキル化ＰＶＰ」という場合がある。）において、該アルケンの例としては、デセン、ウンデセン、ドデセン、トリデセン、テトラデセン、ペンタデセン、ヘキサデセン、ヘプタデセン、オクタデセン、ノナデセン、イコセン、エイコセン、ドコセン、およびトリアコンテン等が挙げられる。なかでも、炭素数１２〜２４のアルケンとの共重合体であることが、分散安定性の観点から好ましく、ＶＰ−ヘキサデセン共重合体、ＶＰ−エイコセン共重合体、ＶＰ−トリアコンテン共重合体などを用いることが好ましい。共重合体には、複数種のアルケンが含まれていてもよい。ＶＰとアルケンとの共重合比（モル比）は、極性を適切に制御する観点から、ＶＰ：アルケンが１：９以上５：５未満であることが好ましく、２：８〜４：６であることがより好ましい。アルキル化ＰＶＰの分子量（重量平均分子量、ＧＣ法測定、標準ポリスチレン換算）は、３０００〜５万であることが好ましく、５０００〜３万であることがより好ましい。市販品としては、ＶＰ−ヘキサデセン共重合体として、ＩＳＰ社製、Ａｎｔａｒｏｎ Ｖ−２１６およびＧａｎｅｘ Ｖ−２１６、Ｉｎｄｕｃｈｅｍ社製Ｕｎｉｍｅｒ Ｕ−１５１が挙げられ、ＶＰ−エイコセン共重合体としては、ＩＳＰ社製Ａｎｔａｒｏｎ Ｖ−２２０およびＧａｎｅｘ Ｖ−２２０、Ｉｎｄｕｃｈｅｍ社製 Ｕｎｉｍｅｒ Ｕ−１５が挙げられる。インクには、複数種のアルキル化ＰＶＰが含まれていてもよい。
【００５１】
＜（Ｂ）アルキル（メタ）アクリレート共重合体＞
（Ｂ）成分は、該インク組成物中に分散して存在し、これによりインク組成物の粘度を安定させる。該アルキル（メタ）アクリレート共重合体としては、組成物中に分散して存在するものであれば特に限定されず、例えば、ポリ（メタ）アクリル酸Ｃ１−４アルキルエステルをコアとし、ポリ（メタ）アクリル酸Ｃ４−１０アルキルエステルをシェルとして有する樹脂粒子（特開２００５−１７１０３２号公報）、ポリ（メタ）アクリル酸Ｃ１２−２５アルキルエステルと、グリシジル基等の所定の基を有するアクリルモノマーとの共重合体樹脂粒子で、顔料分散能を備える（特開２００７−１９７５００号公報）等を使用することができる。
【００５２】
好ましくは、該アルキル（メタ）アクリレート共重合体は、下記式（２）で表される繰り返し単位を含む主鎖と、下記式（３）で表される繰り返し単位を含む、ウレタン構造の側鎖もしくは架橋部（以下「ウレタン結合部」という）を有する。
【化２】
2012106347.tif 000004
【化３】
2012106347.tif 000005
ここで、Ｒ２は水素もしくは炭素数１〜３のアルキル基、好ましくはメチル基、Ｒ３は炭素数１２〜２５のアルキル基、Ｒ４は炭素数６〜１６の２価の炭化水素基、Ｒ５は炭素数２〜２０のアルキレン基もしくはオキシアルキレン基である。
【００５３】
アルキル（メタ）アクリレート共重合体は、炭素数１２〜２５の長鎖アルキル基を備える。該長鎖アルキル基により、有機溶剤との親和性に優れる。該アルキル基としては、ドデシル基、トリデシル基、テトラデシル基、ペンタデシル基、ヘキサデシル基、ヘプタデシル基、オクタデシル基、ノナデシル基、イコサニル基、ヘンイコサニル基、ドコサニル基、イソドデシル基、及びイソオクタデシル基等が挙げられ、これらは分岐を有していてよい。また、これらの複数種が含まれていてもよい。
【００５４】
一方、上記ウレタン結合部は極性が高いので顔料との親和性に優れると考えられる。
【００５５】
アルキル（メタ）アクリレート共重合体は、以下の方法で得ることができる。第一段目において、式（２）のポリアルキル（メタ）アクリレート主鎖を、炭素数１２〜２５のアルキル基を備える（メタ）アクリレートモノマーをラジカル重合させて得る。該アルキル基の存在により、該共重合体は有機溶剤との親和性に優れる。該アルキル基としては、エチルヘキシル基、ドデシル基、トリデシル基、テトラデシル基、ペンタデシル基、ヘキサデシル基、ヘプタデシル基、オクタデシル基、ノナデシル基、イコサニル基、ヘンイコサニル基、ドコサニル基、イソドデシル基、及びイソオクタデシル基等が挙げられ、これらは分岐を有していてよい。また、これらの複数種が含まれていてもよい。
【００５６】
第一段目において、コモノマーの一つとして、グリシジル基を有する（メタ）アクリル系単量体を用いてラジカル重合を行い、該グリシジル基を、式（３）のウレタン結合部と主鎖との連結部の調製に用いる。グリシジル基を有する（メタ）アクリル系単量体としては、グリシジル（メタ）アクリレート、ヒドロキシアルキル（メタ）アクリレートのグリシジルエーテル、例えば、４−ヒドロキシブチルアクリレートグリシジルエーテル、３，４−エポキシシクロヘキシルメチル（メタ）アクリレートなどが挙げられ、これらのうち、グリシジルメタアクリレートが好ましい。該グリシジル基を有する（メタ）アクリル系単量体は、単量体総量の１〜３０質量％で含まれていることが好ましく、より好ましくは３〜２５質量％、最も好ましくは１０〜２０質量％である。
【００５７】
さらに、コモノマーとして、β−ジケトン基（−Ｃ（＝Ｏ）−Ｃ−Ｃ（＝Ｏ）―）またはβ−ケト酸エステル基（−Ｃ（＝Ｏ）−Ｃ−Ｃ（＝Ｏ）ＯＲ、Ｒは炭化水素基）を有する（メタ）アクリル系単量体を用いると、より粘度が低いインク組成物を調製することが可能となる。これにより、インク組成物の溶剤を選択する際に、溶剤自身の粘度値に基づく制約が少なくなり、非水系溶剤の選択の幅を拡げることができる。また、必要に応じて定着用樹脂または添加剤などを配合する際の、配合成分によるインク粘度増加の許容範囲が広がり、インク処方の自由度を広げることも可能となる。さらに、β−ジケトン基またはβ−ケト酸エステル基が顔料の凝集を抑制し、裏抜けを抑制すると同時に印刷濃度の向上を実現できる。
【００５８】
β−ジケトン基またはβ−ケト酸エステル基を有する（メタ）アクリル系単量体としては、アセトアセトキシエチル（メタ）アクリレート等のアセトアセトキシアルキル（メタ）アクリレート、ヘキサジオン（メタ）アクリレート、アセトアセトキシエチル（メタ）アクリルアミド等のアセトアセトキシアルキル（メタ）アクリルアミド等が挙げられる。これらは単独で、または２種以上を併用することができる。
【００５９】
β−ジケトン基またはβ−ケト酸エステル基を有する（メタ）アクリル系単量体の配合量は、モノマー混合物中に３〜３０質量％であることが好ましく、５〜２０質量％であることがより好ましい。
【００６０】
その他、コモノマーとしては、たとえば、スチレン、α−メチルスチレン等のスチレン系モノマー；酢酸ビニル、安息香酸ビニル、ブチルビニルエーテル等のビニルエーテル系ポリマー；マレイン酸エステル、フマル酸エステル、アクリロニトリル、メタクリロニトリル、α−オレフィン等が挙げられる。また、アルキル鎖長の炭素数が１２未満のアルキル（メタ）アクリレート、たとえば２−エチルヘキシル（メタ）アクリレート、イソオクチル（メタ）アクリレート、ｔｅｒｔ−オクチル（メタ）アクリレート等を使用することもできる。これらは単独で、または２種以上を組み合わせて使用できる。
【００６１】
第一段目のラジカル重合は、有機溶剤中で行うことが好ましい。また、分子量を調整するために、重合時に連鎖移動剤を併用することが有効である。連鎖移動剤としては、たとえば、ｎ−ブチルメルカプタン、ラウリルメルカプタン、ステアリルメルカプタン、シクロヘキシルメルカプタンなどのチオール類が用いられる。
【００６２】
重合開始剤としては、ＡＩＢＮ（アゾビスイソブチロニトリル）等のアゾ化合物、ｔ−ブチルペルオキシベンゾエート、ｔ−ブチルペルオキシ−２−エチルヘキサノエート（パーブチルＯ、日本油脂（株）製）等の過酸化物など、公知の熱重合開始剤を使用することができる。その他にも、活性エネルギー線照射によりラジカルを発生する光重合型開始剤を用いることができる。溶液重合に用いる重合溶媒には、たとえば石油系溶剤（アロマフリー（ＡＦ）系）などを使用できる。この重合溶媒は、そのままインクの非水系溶剤として使用できる溶媒（後述）のなかから１種以上を選択することが好ましい。重合反応に際し、その他、通常使用される重合禁止剤、重合促進剤、分散剤等を反応系に添加することもできる。
【００６３】
第二段目では、第一段目で得られた、グリシジル基を有するポリアルキル（メタ)アクリレート主鎖と、該グリシジル基と反応性の基及びアルコール性水酸基を有する化合物を反応させて、式（３）のウレタン結合部をアルキル（メタ)アクリレート主鎖に結合する連結部分を形成する。該グリシジル基と反応性の基及びアルコール性水酸基を有する化合物としては、アミノ基、又はカルボキシル基を有するアルコールが挙げられ、好ましくはアミノアルコールが使用される。アミノアルコールとしては、炭素数が２〜１０のモノオールアミン、例えばモノメチルエタノールアミン、炭素数が４〜２０のジオールアミン、例えばジエタノールアミン、ジイソプロパノールアミン、及びこれらの混合物が挙げられ、なかでも、炭素数が４〜２０のジアルカノールアミン、特にジエタノールアミンが好ましい。アミノアルコールは、上記グリシジル基１モルに対して、０．０５〜１モル当量で反応させることが好ましく、０．１〜１モル当量で反応させることがより好ましい。
【００６４】
第二段目の反応は、第一段目で得られる共重合体溶液にアミノアルコール及び／又は多価アルコールを添加して、不活性ガスを通気して攪拌しながら、加熱することによって行うことができる。
【００６５】
第三段目では、第二段目で得られたアルコール性水酸基を有するポリアルキル（メタ）アクリレート主鎖に、多価イソシアネートを反応させ、残ったイソシアネート基を多価アルコールと反応させて、ウレタン結合部を構成する。多価アルコールは、第二段目で添加しておいてもよい。該多価アルコールは、グリシジル基とはほとんど反応しないと考えられるが、多少、反応したとしても問題は無い。該多価アルコールとしては、炭素数２〜２０のアルキレン基又はオキシアルキレン基を有する多価アルコール、例えばエチレングリコール、プロピレングリコール、ジプロピレングリコール、１，３プロパンジオール、ポリエチレングリコール、ポリプロピレングリコール、及びこれらの混合物が挙げられる。多価アルコールは、該グリシジル基と反応性の基とアルコール性水酸基を有する化合物における、該グリシジル基と反応性の基１モルに対して、好ましくは水酸基が１０モル以下になる量、より好ましくは１〜５モルになる量で用いる。
【００６６】
第三段目の反応で使用される多価イソシアネート化合物としては、炭素数６〜１６のアルキレン基等の脂肪族基、シクロアルキレン基等の脂環式基又はアリレーン基等の芳香族基を有する多価イソシアネート、例えば、１，６−ジイソシアナートへキサン、１，３−ビス（イソシアナートメチル）ベンゼン、１，３−ビス（イソシアナートメチル）シクロヘキサン、１，５−ナフタレンジイソシアネート、及びこれらの混合物が挙げられる。該イソシアネート化合物は、未反応アルコール性水酸基が残らないようにするために、アルコール性水酸基に対してほぼ当量（０．９８〜１．０２モル当量）で反応させることが好ましい。
【００６７】
第三段目の反応は、第二段目で得られる共重合体溶液に多価イソシアネート化合物を添加し、定法に従い錫触媒等の存在下で加熱して行うことができる。
【００６８】
該ウレタン結合部は、（Ｂ）アルキル（メタ）アクリレート共重合体中に、１〜４０質量％、好ましくは１〜３０質量％で、より好ましくは５〜２０質量％で含まれる。該ウレタン結合部の質量は、反応に使用したアミノアルコール、多価アルコールとイソシアネート化合物の合計質量である。
【００６９】
（Ｂ）アルキル（メタ）アクリレート共重合体は、ＧＰＣで測定される重量平均分子量が５０００〜５０，０００、好ましくは８０００〜３０，０００である。該分子量が前記下限値未満のものを使用すると、インク組成物の貯蔵安定性が悪くなる傾向があり、前記上限値を超えるものを使用すると、インク組成物の粘度が高く、インクジェット吐出安定性が悪くなる傾向がある。また、動的光散乱法で測定される平均粒径（Ｄ５０）が５０〜３００ｎｍ、好ましくは７０〜２００ｎｍ、である。
【００７０】
インク組成物中における、有機溶剤中に分散して存在する（Ｂ）成分と、有機溶剤に溶解する（Ａ）成分の量は、それらの固形分の合計質量の、顔料の質量に対する質量比が、０．２〜２．０、好ましくは０．２〜１．５、より好ましくは０．２〜１．０となる量である。該質量比が、前記下限値未満では十分な分散効果が得られず、前記上限値を超えては、インク組成物の粘度が高くなり、インクジェット吐出安定性が悪くなる傾向がある。また、（Ｂ）成分の固形分の、（Ａ）成分と（Ｂ）成分の固形分の合計に対する質量比、（Ｂ）／［（Ａ）＋（Ｂ）］が、０．８〜０．９９、好ましくは０．８〜０．９５である。該比が前記上限値を超えては、保存安定性が悪くなり、前記下限値未満では、サテライトが十分に低減されない傾向がある。
【００７１】
＜顔料＞
該インク組成物において、顔料は任意のものであってよい。黒色インク用の顔料としては、ファーネスブラック、ランプブラック、アセチレンブラック、チャンネルブラック等のカーボンブラック類；銅、鉄、酸化チタン等の金属類または金属酸化物；オルトニトロアニリンブラック等の有機顔料を挙げることができる。これらは単独で、任意に混合して使用することができる。より高い印刷濃度を得られる点で、ＪＩＳ  Ｋ６２２１に従い測定されるジブチルフタレート（ＤＢＰ）給油量が８０ｃｍ３／１００ｇ〜１４０ｃｍ３／１００ｇ、且つＪＩＳ  Ｋ６２１７に従い測定される窒素吸着比表面積が１００ｍ２／ｇ〜２００ｍ２／ｇのカーボンブラック顔料が好ましい。
【００７２】
カラーインク用顔料としては、トルイジンレッド、パーマネントカーミンＦＢ、ジスアゾオレンジＰＭＰ、レーキレッドＣ、ブリリアントカーミン６Ｂ、キナクリドンレッド、ジオキサンバイオレット、オルトニトロアニリンオレンジ、ジニトロアニリンオレンジ、バルカンオレンジ、トルイジンレッド、塩素化パラレッド、ブリリアントファーストスカーレット、ナフトールレッド２３、ビラゾロンレッド、バリウムレッド２Ｂ、カルシウムレッド２Ｂ、ストロンチウムレッド２Ｂ、マンガンレッド２Ｂ、バリウムリソームレッド、ピグメントスカーレッド３Ｂレーキ、レーキボルドー１０Ｂ、アンソシン３Ｂレーキ、アンソシン５Ｂレーキ、ローダミン６Ｇレーキ、エオシンレーキ、べんがら、ファフトールレッドＦＧＲ、ローダミンＢレーキ、メチルバイオレッドレーキ、ジオキサジンバイオレッド、ナフトールカーミンＦＢ、ナフトールレッドＭ、ファストイエローＡＡＡ、ファストイエロー１０Ｇ、ジスアゾイエローＡＡＭＸ、ジスアゾイエローＡＡＯＴ、ジスアゾイエローＡＡＯＡ、ジスアゾイエローＨＲ、イソインドリンイエロー、ファストイエローＧ、ジスアゾイエローＡＡＡ、フタロシアニンブルー、ピクトリアピュアブルー、ベーシックブルー５Ｂレーキ、ベーシックブルー６Ｇレーキ、ファストスカイブルー、アルカリブルーＲトナー、ピーコックブルーレーキ、紺青、群青、レフレックスブルー２Ｇ、レフレックスブルーＲ、アルカリブルーＧトナー、ブリリアントグリーンレーキ、ダイアモンドグリーンチオフラビンレーキ、フタロシアニングリーンＧ、グリーンゴールド、フタロシアニングリーンＹ、酸化鉄粉、さびこ、亜鉛華、酸化チタン、炭酸カルシウム、クレー、硫酸バリウム、アルミナホワイト、アルミニウム粉、ブロンズ粉、昼光蛍光顔料、パール顔料等を例示できる、これらは単独で、または任意混合して用いることができる。
【００７３】
顔料の平均粒径は、吐出安定性と保存安定性の観点から３００ｎｍ以下であることが好ましく、１５０ｎｍ以下であることがより好ましく、１００ｎｍ以下であることがさらに好ましい。ここで、顔料の平均粒径は、動的光散乱式粒度分布測定装置ＬＢ−５００（堀場製作所製）等により測定することができる。
【００７４】
インク組成物中の顔料の含有量は、印刷濃度とインク粘度の観点から５〜１５質量％であることが好ましく、５〜１０質量％であることがより好ましい。
【００７５】
＜有機溶剤＞
該インク組成物は、非水系、即ち、顔料分散媒が有機溶剤から成る。該有機溶剤の例には、脂肪族炭化水素溶剤、脂環式炭化水素系溶剤、芳香族炭化水素溶剤等の非極性有機溶剤と、エステル系溶剤、アルコール系溶剤、高級脂肪酸系溶剤、エーテル系溶剤等の極性溶媒が包含される。脂肪族炭化水素溶剤、脂環式炭化水素系溶剤としては、たとえば、日本石油（株）製「テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、ＡＦ−７」、Ｅｘｘｏｎ社製「Ｉｓｏｐａｒ（アイソパー）Ｇ、ＩｓｏｐａｒＨ、ＩｓｏｐａｒＬ、ＩｓｏｐａｒＭ、ＥｘｘｓｏｌＤ４０、ＥｘｘｓｏｌＤ８０、ＥｘｘｓｏｌＤ１００、ＥｘｘｓｏｌＤ１３０、ＥｘｘｓｏｌＤ１４０」等を挙げることができる。芳香族炭化水素溶剤としては、日本石油（株）製「日石クリーンソルＧ」（アルキルベンゼン）、Ｅｘｘｏｎ社製「ソルベッソ２００」等を挙げることができる。
【００７６】
エステル系溶剤としては、ラウリル酸メチル、ラウリル酸イソプロピル、ラウリル酸ヘキシル、ミリスチン酸イソプロピル、パルミチン酸イソプロピル、パルミチン酸イソオクチル、オレイン酸メチル、オレイン酸エチル、オレイン酸イソプロピル、オレイン酸ブチル、リノール酸メチル、リノール酸イソブチル、リノール酸エチル、イソステアリン酸イソプロピル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２−エチルヘキサン酸トリメチロールプロパン、トリ２−エチルヘキサン酸グリセリルなど；アルコール系溶剤としては、イソミリスチルアルコール、イソパルミチルアルコール、イソステアリルアルコール、オレイルアルコールなど；高級脂肪酸系溶剤としてはイソノナン酸、イソミリスチン酸、ヘキサデカン酸、イソパルミチン酸、オレイン酸、イソステアリン酸など；エーテル系溶剤としてはジエチルグリコールモノブチルエーテル、エチレングリコールモノブチルエーテル、プロピレングリコールモノブチルエーテル、プロピレングリコールジブチルエーテルなどが挙げられる。これらの溶剤の２種以上を混合して用いることができる。好ましくはエステル系溶剤、なかでもパルミチン酸イソオクチル、ラウリル酸ヘキシルが使用される。
【００７７】
＜任意成分＞
該インク組成物は、本発明の効果を阻害しない範囲内で、任意の成分を含むことができる。たとえば、上記（Ａ）及び（Ｂ）成分以外の樹脂として、アクリル系樹脂、スチレン−アクリル系樹脂、スチレン−マレイン酸系樹脂、ロジン系樹脂、ロジンエステル系樹脂、エチレン−酢ビ系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、塩酢ビ系樹脂、キシレン樹脂、アルキッド樹脂、脂肪族炭化水素樹脂、ブチラール樹脂、マレイン酸樹脂、フマル酸樹脂、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ポリエステルポリアミン、ステアリルアミンアセテート等を含むことができる。
【００７８】
好ましくは、該インク組成物はシナジストを含む。シナジストは、顔料骨格中に、極性基を導入した顔料誘導体である。顔料骨格としては、アゾ顔料、フタロシアニン顔料、キナクリドン顔料、ペリレン顔料、イソインドリン顔料、ベンズイミダゾロン顔料、ピランスロン顔料、チオインジゴ顔料、及びキノフタロン顔料等の骨格が挙げられる。極性基としては、アルキルアミノ基、カルボキシル基、スルホン酸基、及びフタルイミド基等が挙げられる。これらのうち、フタロシアニン顔料、特に銅フタロシアニンブルーの骨格に、スルホン酸基、アミノ基等を導入したものが好ましく、例えば銅フタロシアニンスルホネート（ソルスパース５０００、ソルスパース１２０００、ソルスパース２２０００；いずれもルーブリゾール社製）が挙げられる。その他、
ノズルの目詰まり防止剤、酸化防止剤、導電率調整剤、粘度調整剤、表面張力調整剤、酸素吸収剤などを適宜添加することもできる。
【００７９】
本発明のインク組成物は、ビーズミル等の分散機に、（Ａ）成分、（Ｂ）成分と有機溶剤の混合物、顔料、及び、所望によりインク組成物の粘度を調整するための追加の有機溶剤、任意成分、を一括又は分割して加えて攪拌・混合し、所望により、メンブレンフィルター等によりろ過することによって得られる。
【００８０】
インクの粘度は、インクジェット印刷システムの吐出ヘッドのノズル径や吐出環境等によってその適性範囲は異なるが、一般に、２３℃において５〜３０ｍＰａ・ｓであることが好ましく、５〜１５ｍＰａ・ｓであることがより好ましく、約１０ｍＰａ・ｓ程度であることが、最も好ましい。ここで粘度は、２３℃において０．１Ｐａ／ｓの速度で剪断応力を０Ｐａから増加させたときの１０Ｐａにおける値を表す。
【００８１】
該インク組成物を、上述のインクジェット印刷装置において使用することによって、封筒等の厚手の記録媒体に印刷した場合であっても、サテライトの発生が顕著に少ない。
【実施例】
【００８２】
以下、本発明を実施例により説明するが、本発明はこれらに限定されるものではない。
＜（Ｂ）アルキル（メタ）アクリレート共重合体の調製＞
３００ｍｌの四つ口フラスコに、ＡＦ−４（ナフテン系溶剤；新日本石油（株）製）７５ｇを仕込み、窒素ガスを通気し攪拌しながら、１１０℃まで昇温した。次いで、温度を１１０℃に保ちながらベヘニルメタクリレート５０質量％、２−エチルヘキシルメタクリレート３５質量％及びグリシジルメタクリレート１５質量％の混合物に、ＡＦ−４  １６．７ｇ、パーブチル  Ｏ（ｔ−ブチルパーオキシ２−エチルヘキサノエート；日本油脂（株）製）２ｇの混合物を３時間かけて滴下した。その後、１１０℃に保ちながら１時間および２時間後に、パーブチル  Ｏを各０．２ｇ添加した。さらに１１０℃で１時間熟成を行った後、ＡＦ−４  １０．６ｇで希釈して、不揮発分５０％の無色透明の主鎖ポリマー溶液を得た。得られたポリマーの重量平均分子量（ＧＰＣ法、標準ポリスチレン換算）は、２００００〜２３０００であった。
次いで、５００ｍＬの四つ口フラスコに、パルミチン酸イソオクチル（ＩＯＰ、日光ケミカルズ（株）製）８１ｇ、上記で得られたポリマー溶液（ＡＦ−４溶剤中固形分５０％）２００ｇ、プロピレングリコール  ４．０ｇ、ジエタノールアミン  ２．８ｇを仕込み、窒素ガスを通気し攪拌しながら、１１０℃まで昇温し、該温度に１時間保った。その後、ジブチル錫ジラウレートを０．２ｇ添加し、タケネート  ６００（１，３−ビス（イソシアナートメチル）シクロヘキサン、三井化学ポリウレタン（株）製）１０．２ｇとＩＯＰ  ９９  ９１．８ｇとの混合物を１時間かけて滴下した。滴下後、温度を１２０℃に昇温して６時間反応させ、冷却して、固形分３０％の樹脂分散液を得た。得られたポリマー（「分散剤１」とする）の重量平均分子量（ＧＰＣ法、標準ポリスチレン換算）は、２２０００〜２６０００であり、ウレタン結合部の量は１０質量％であった。
【００８３】
＜インク組成物の調製＞
表１の処方（質量％）に従い、各成分をガラス容器に入れ、これにジルコニアビーズ（φ０．５ｍｍ）８０ｇを入れ、ロッキングミル（セイワ技研製  ＲＭ０５Ｓ型）を用いて周波数６０Ｈｚで２時間運転し、各非水系インク組成物を調製した。
【００８４】
表１において、各成分の詳細は以下のとおりである。
カーボンブラック：ＭＡ−１００、ＤＢＰ吸油量１００ｃｍ３／１００ｇ、窒素吸着比表面積１１０ｍ２／ｇ、三菱化学社製
（Ａ）ポリビニルピロリドン：Ａｎｔａｒｏｎ Ｖ−２１６、ＶＰ−ヘキサデセン共重合体、ＩＳＰ社製
（Ａ）ポリアミド：ソルスパース１１２００、ルーブリゾール社製
比較分散剤：ディスパービック１０１、長鎖ポリアミドアミドと酸エステルの塩、ビックケミージャパン社製
シナジスト：ソルスパース５０００、ルーブリゾール社製
ＡＦ−４：ナフテン系溶剤、新日本石油社製
【００８５】
得られたインク組成物を用いて、以下の方法により評価を行った。結果を表１に示す。
＜インク貯蔵安定性＞
容量５０ｍｌのガラス容器にインク３０gを充填し密封した。これを70℃で、３ヶ月間放置し、放置前後の粘度（ＨＡＡＫＥ社製レオメーターＲＳ３００を使用して、２３℃において、０．１Ｐａ／ｓの速度で剪断応力を０Ｐａから増加させたときの１０Ｐａにおける値。）を測定し、下記式に従い粘度変化率を算出した。
粘度変化率＝１００×（放置後粘度-放置前粘度）／放置前粘度
○：粘度変化率が-５％超〜＋５％未満
△：粘度変化率が−５％以下
×：粘度変化率が＋５％以上
【００８６】
＜サテライトによる画像の汚れ＞
ORPHIS−X(理想科学社製)において、図６に記載の態様の通気孔を備えたヘッドホルダ（投影面積比約１５％）を装備した装置を用いて、ヘッドギャップ３ｍｍ、環境温度15℃、印刷速度１２０ｐｐｍ、解像度３００dpi＊３００dpi1、６dropの印字条件でA4用紙に印字を行い、下記基準により評価した。
○：サテライトによる画像の汚れがほとんど無く、画質は良好である。
△：サテライトによる画像の汚れ若干あるが、画質は実用上問題無いレベルである。
×：サテライトによる画像の汚れが顕著であり、画質は実用に差し支えるレベルである。
【００８７】
【表１】
2012106347.tif 000006
【００８８】
本発明におけるインク組成物（実施例１〜実施例３）と装置を組合わせて使用することによって、サテライトによる汚れがほとんど無くなった。これに対し、（Ｂ）/[（Ａ）＋（Ｂ）］が０．８未満のインク組成物（比較例１および比較例３）は、サテライトによる汚れが顕著であった。また、分散剤の量が少ないインク組成物（比較例４）、分散剤が所定の構造のものではないインク組成物（比較例５）は、保存安定性が悪かった。（Ａ）成分を欠くインク組成物（比較例２）は、サテライトによる汚れは少なかったが、貯蔵安定性が悪くインクが増粘した。
【産業上の利用可能性】
【００８９】
本発明のインクジェット印刷システムによれば、サテライトによる汚れを発生させること無く、高速インクジェット印刷を行うことができる。
【符号の説明】
【００９０】
ＬＳ      下方の空間
Ｐ        用紙
ＰＲ      投影範囲
ＵＳ      上方の空間
１        インクジェット印刷装置
２１１    インクジェットヘッド
２１２    ヘッドホルダ
２１３    取付孔
２１４    インクジェットノズル
２１６    通気孔
２２１    プラテン
２２１ａ  貫通孔
２２２    プラテンベルト
【図１】
2012106347.tif 000010
【図２】
2012106347.tif 000011
【図３】
2012106347.tif 000012
【図４】
2012106347.tif 000013
【図５】
2012106347.tif 000014
【図６】
2012106347.tif 000015
【図７】
2012106347.tif 000016
【図８】
2012106347.tif 000017
【図９】
2012106347.tif 000018